Podtech/llm-jp-corpus-v4-ja_patent huggingface dataset:
【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
マトリクス状に設けられたスキャン線とデータ線と、
前記スキャン線と交差しないように配置された前記スキャン線に対応するコモン線と、
前記スキャン線と前記データ線との交点のそれぞれに、一対の電極を有する画素容量素子と、制御電極と入力端子と出力端子を有するスイッチング素子とを有し、
前記スイッチング素子は、その入力端子が前記データ線に接続され、その出力端子が前記画素容量素子の一方の電極に接続され、その制御電極は前記スキャン線に接続され、
前記画素容量素子の他方の電極は前記コモン線に接続された面内スイッチング方式のアクティブマトリクス型表示装置において、
前記コモン線は、１フレームの８０％以上の時間においてVHもしくはVL（VH＞VL）のいずれかの電位に保持され、
前記データ線には、VL≦VD≦VHなる信号電位VDが印加されることを特徴とするアクティブマトリクス型表示装置の駆動方法。
【請求項２】
マトリクス状に設けられたスキャン線とデータ線と、
前記スキャン線と交差しないように配置された前記スキャン線に対応するコモン線と、
前記スキャン線と前記データ線との交点のそれぞれに、一対の電極を有する画素容量素子と、制御電極と入力端子と出力端子を有するスイッチング素子とを有し、
前記スイッチング素子は、その入力端子が前記データ線に接続され、その出力端子が前記画素容量素子の一方の電極に接続され、その制御電極は前記スキャン線に接続され、
前記画素容量素子の他方の電極は前記コモン線に接続された面内スイッチング方式のアクティブマトリクス型表示装置において、
前記コモン線は、対応するスキャン線に印加される選択パルスに応じて、その電位をVHもしくはVL（VH＞VL）に変化させ、
前記データ線には、VL≦VD≦VHなる信号電位VDが印加されることを特徴とするアクティブマトリクス型表示装置の駆動方法。
【請求項３】
請求項１または請求項２において、
前記コモン線に印加される電位VHもしくはVLは、前記コモン線に対応する前記スキャン線にパルス信号が印加される際に、VHもしくはVLの他方の値に変動することを特徴とするアクティブマトリクス型表示装置の駆動方法。
【請求項４】
請求項１乃至請求項３のいずれか一項において、
あるフレームにおけるコモン線の電位VHもしくはVLは、
前記フレームの前後のフレームにおける前記コモン線の電位VHもしくはVLと異なることを特徴とするアクティブマトリクス型表示装置の駆動方法。
【請求項５】
請求項１乃至請求項４のいずれか一項において、
非選択状態にあるデータ線に平行に隣接した前記コモン線の電位が互いに異なることを特徴とするアクティブマトリクス型表示装置の駆動方法。
【請求項６】
請求項１乃至請求項５のいずれか一項において、
前記画素容量素子に接続された一対の電極間には液晶が設けられ、
前記コモン線に印加される電位VHもしくはVLの大きさは、前記液晶のしきい電圧よりも小さいことを特徴とするアクティブマトリクス型表示装置の駆動方法。
【請求項７】
マトリクス状に設けられたスキャン線とデータ線と、
前記スキャン線と交差しないように配置された前記スキャン線に対応するコモン線と、
前記スキャン線と前記データ線との交点のそれぞれに、一対の電極を有する画素容量素子と、制御電極と入力端子と出力端子を有するスイッチング素子とを有し、
前記スイッチング素子は、その入力端子が前記データ線に接続され、その出力端子が前記画素容量素子の一方の電極に接続され、その制御電極は前記スキャン線に接続され、
前記画素容量素子の他方の電極は前記コモン線に接続された面内スイッチング方式のアクティブマトリクス型表示装置において、
前記コモン線に印加される最高電位をVH、最低電位をVLとするとき、
前記画素容量素子の電位差の大きさは、VH−VL以下であることを特徴とするアクティブマトリクス型表示装置の駆動方法。
【請求項８】
請求項７において、
前記画素容量素子は一対の電極間に液晶を有し、
前記コモン線の最高電位VHおよび最低電位VLの大きさは、前記液晶分子のしきい電圧よりも小さいことを特徴とするアクティブマトリクス型表示装置の駆動方法。
【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
ホスト・コンピュータおよび該ホスト・コンピュータに接続されたプリンタでドキュメント画像を印刷する方法であって、
前記ホスト・コンピュータで前記ドキュメント画像をラスタライズするステップであって、前記ドキュメント画像を表現するラスタフォーマットされたデータを生成する、前記ラスタライズするステップと、
前記プリンタへ前記ラスタフォーマットされたデータを送出するステップと、
前記プリンタ内のプリンタヘッドに前記ラスタフォーマットされたデータを渡すステップであって、前記ラスタフォーマットされたデータを前記プリンタ内で再フォーマット化せずに、プリントヘッドの噴射を制御する、前記渡すステップと、
を含む前記方法。
【請求項２】
前記プリンタへ前記ラスタフォーマットされたデータを送出するステップの前に、該ラスタフォーマットされたデータを、プリンタヘッドの帯に対応するデータ帯に分離するステップをさらに含む請求項１記載の方法。
【請求項３】
前記プリントヘッドは１つ又は複数のドット列を有し、前記プリンタへ前記ラスタフォーマットされたデータを送出するステップの前に、該ラスタフォーマットされたデータを、プリンタヘッド・ドット列に対応するドット列データ・ブロックに分離するステップをさらに含む請求項１記載の方法。
【請求項４】
前記プリントヘッドは１つ又は複数のドット列を有し、前記プリンタへ前記ラスタフォーマットされたデータを送出するステップの前に、さらに、
前記ラスタフォーマットされたデータを、プリンタヘッドの帯に対応するデータ帯に分離するステップと、
各々のデータ帯内で、前記ラスタフォーマットされたデータを、プリンタヘッド・ドット列に対応するドット列データ・ブロックに分離するステップと、
を含む請求項１記載の方法。
【請求項５】
前記プリンタへ前記ラスタフォーマットされたデータを送出するステップの前に、さらに、
前記ラスタフォーマットされたデータを、プリンタヘッド・ドット列に対応するドット列データ・ブロックに分離するステップであって、前記プリンタが特別な順序で該ドット列データ・ブロックをアクセスする、前記分離するステップと、
前記プリンタによってアクセスされる特別な順序で、前記プリンタに前記ドット列データ・ブロックを送出するステップと、
を含む請求項１記載の方法。
【請求項６】
前記プリンタへ前記ラスタフォーマットされたデータを送出するステップの前に、さらに、
前記ラスタフォーマットされたデータを、プリンタヘッドの帯に対応するデータ帯に分離するステップと、
各々のデータ帯内で、前記ラスタフォーマットされたデータを、プリンタヘッド・ドット列に対応するドット列データ・ブロックに分離するステップであって、前記プリンタが特別な順序で該ドット列データ・ブロックをアクセスする、前記分離するステップと、
前記プリンタによってアクセスされる特別な順序で、前記プリンタに前記ドット列データ・ブロックを送出するステップと、
を含む請求項１記載の方法。
【請求項７】
前記プリンタに前記ラスタフォーマットされたデータを送出するステップの前に、さらに、
前記ラスタフォーマットされたデータを圧縮するステップと、
前記ラスタフォーマットされたデータをプリンタヘッドに渡す前に、圧縮された前記ラスタフォーマットされたデータを展開するステップと、
を含む請求項１記載の方法。
【請求項８】
前記ラスタフォーマットされたデータと共に、プリンタ制御情報を前記プリンタに送出するステップをさらに含む請求項１記載の方法。
【請求項９】
ホスト・コンピュータおよびプリンタがドキュメント画像を印刷する方法であって、前記プリンタは左右に間隔のあいた複数のドット列を備えるプリンタヘッドを有し、
前記ホスト・コンピュータで前記ドキュメント画像をラスタライズするステップであって、前記ドキュメント画像を表現するラスタフォーマットされたデータを生成する、前記ラスタライズするステップと、
前記ラスタフォーマットされたデータを、プリンタヘッドの帯に対応するデータ帯に分離するステップと、
各々のデータ帯内で、前記ラスタフォーマットされたデータを、プリンタヘッド・ドット列に対応するドット列データ・ブロックに分離するステップと、
前記プリンタへ前記ドット列データ・ブロックを送出するステップと、
を含む前記方法。
【請求項１０】
前記ドット列データ・ブロックの配列されたグループと共にプリンタ制御情報を前記プリンタに送出するステップをさらに含む請求項９記載の方法。
【請求項１１】
前記プリンタが特別な順序で前記ドット列データ・ブロックにアクセスし、
前記プリンタによってアクセスされる特別な順序で、前記プリンタに前記ドット列データ・ブロックを送出するステップをさらに含む請求項９記載の方法。
【請求項１２】
前記ホスト・コンピュータ上でプリンタ・ドライバを実行するステップをさらに含み、該プリンタ・ドライバは、前記ラスタライズするステップと前記分離するステップとを実行する、請求項９記載の方法。
【請求項１３】
プリンタであって、
プログラム可能なマイクロプロセッサと、
外部資源からドキュメント画像を表現するラスタフォーマットされたデータを受信する１又は複数のＩ／Ｏポートと、
前記プログラム可能なマイクロプロセッサとは別に、前記プログラム可能なマイクロプロセッサから独立して、Ｉ／Ｏポートを通じて前記ラスタフォーマットされたデータを受信するために接続されている論理回路と、
プリントヘッドと、
を備え、前記論理回路は、前記プログラム可能なマイクロプロセッサによる処理をすることなく、前記ラスタフォーマットされたデータをプリントヘッドへ渡すように構成される、
前記プリンタ。
【請求項１４】
前記論理回路はプログラム可能でない、請求項１３記載のプリンタ。
【請求項１５】
更に、前記論理回路は、プリントヘッドの帯に対応するデータ帯の中の前記ラスタフォーマットされたデータを受信するように構成された、請求項１３記載のプリンタ。
【請求項１６】
前記プリントヘッドは、左右に間隔のあいた複数のドット列を有し、前記論理回路は、プリントヘッド列に対応するドット列データ・ブロックの中のラスタフォーマットされたデータを受信するように構成される、請求項１３記載のプリンタ。
【請求項１７】
前記プログラム可能なマイクロプロセッサは、前記Ｉ／Ｏポートを通じてプリンタ制御情報を受信するために接続され、該プリンタ制御情報に応じてプリンタヘッドの移動を制御する、請求項１３記載のプリンタ。
【請求項１８】
前記論理回路は特別なフォーマットでラスタライズされた前記データを待ち、前記プリント・システムは更にホスト・コンピュータを有し、該ホスト・コンピュータは前記論理回路によって待たれる特別なフォーマットでラスタライズされた前記データをプリンタに送出するプリンタ・ドライバを含む、請求項１３記載のプリンタ。
【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】  オレフィンまたはα，β−不飽和アルデヒドを分子状酸素で液相中で酸化してα，β−不飽和カルボン酸を製造するための触媒であって、比表面積が１００ｍ２／ｇ以上かつ１０００ｍ２／ｇ以下の活性炭に貴金属が担持されてなるα，β−不飽和カルボン酸製造用触媒。
【請求項２】  比表面積が１００ｍ２／ｇ以上かつ１０００ｍ２／ｇ以下の活性炭に貴金属が担持されてなるα，β−不飽和カルボン酸製造用触媒の存在下でオレフィンまたはα，β−不飽和アルデヒドを分子状酸素で液相中で酸化するα，β−不飽和カルボン酸の製造方法。
【手続補正２】
【補正対象書類名】明細書
【補正対象項目名】００１０
【補正方法】削除
【補正の内容】
【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】  検体の部位に接触される電解質ゲルを載置する一対の電極板と、この一対の電極板と前記電解質ゲルが接触する検体の部位とは異なる部位に接触される他の電極板間に接続される電源と、前記電解質ゲルを介して検体から抽出される特定物質と化学反応を起こし変色する色素を含む色素膜に光を照射する光源と、前記色素膜を通過して反射してきた光を受け取る受光素子とを有する測定装置とを備えることを特徴とするリバースイオントフォレシス装置。
【請求項２】  前記電源の陰極が前記一対の電極板に接続され、陽極が前記他の電極板に接続されることを特徴とする請求項１に記載のリバースイオントフォレシス装置。
【請求項３】  前記測定装置が、前記一対の電極板と離間して配置された他の電極板を有することを特徴とする請求項１及び請求項２記載のリバースイオントフォレシス装置。
【請求項４】  前記電源の陰極に接続された１対の電極板に載置された電解質ゲルを前記検体の部位に接触させ、前記電源の陽極に接続された前記他の電極板を検体の他の部位に接触させ、
前記１対の電極板と前記他の電極板との間に電圧を印加して、前記検体からグルコースを色素膜に抽出するステップと、
前記抽出されたグルコースと反応を起こし変色した前記色素膜に光を照射するステップと、
前記色素膜における変色に基づく、前記光の変化量を測定するステップとを有することを特徴とするリバースイオントフォレシス測定方法。
【請求項５】  前記電圧は、５ボルト〜２０ボルト、好ましくは１０ボルト〜１５ボルトであることを特徴とする請求項５に記載のリバースイオントフォレシス測定方法。  
【手続補正２】
【補正対象書類名】明細書
【補正対象項目名】０００９
【補正方法】変更
【補正の内容】
【０００９】
【課題を解決するための手段】
上記課題を解決するために、本発明の第１の特徴は、検体の部位に接触される電解質ゲルを載置する一対の電極板と、この一対の電極板と前記電解質ゲルが接触する検体の部位とは異なる部位に接触される他の電極板間に接続される電源と、前記電解質ゲルを介して検体から抽出される特定物質と化学反応を起こし変色する色素を含む色素膜に光を照射する光源と、色素膜を通過して反射してきた光を受け取る受光素子とを有する測定装置とを備えるリバースイオントフォレシス装置であることを要旨とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明の特徴によれば、リバースイオントフォレシスにより検体から微量の特定物質を効率よく抽出し、抽出された特定物質と色素との反応による色素の変色に基づく光の極微な変化を検出するため、検体から抽出された極微量の特定物質の濃度を高感度で測定することが可能となる。
【手続補正５】
【補正対象書類名】明細書
【補正対象項目名】００１２
【補正方法】変更
【補正の内容】
【００１２】
本発明の第２の特徴は、前記電源の陰極に接続された１対の電極板に載置された電解質ゲルを前記検体の部位に接触させ、前記電源の陽極に接続された前記他の電極板を検体の他の部位に接触させ、  前記１対の電極板と前記他の電極板との間に電圧を印加して、検体からグルコースをセンサーチップ上の色素膜に抽出するステップと、抽出されたグルコースと反応を起こし変色した色素膜に光を照射するステップと、色素膜における変色に基づく、光の変化量を測定するステップとを有するリバースイオントフォレシス測定方法であることを要旨とする。本発明の第２の特徴において、印加する電圧は、５ボルト〜２０ボルト、好ましくは１０ボルト〜１５ボルトであることが好ましい。
【手続補正６】
【補正対象書類名】明細書
【補正対象項目名】００１３
【補正方法】変更
【補正の内容】
【００１３】
本発明の第２の特徴によれば、リバースイオントフォレシスにより検体から微量の特定物質を効率よく抽出し、抽出された特定物質と色素との反応による色素の変色に基づくレーザ光の極微な変化を検出するため、検体から抽出された極微量の特定物質の濃度を高感度で測定することが可能となる。
【手続補正７】
【補正対象書類名】明細書
【補正対象項目名】００２３
【補正方法】変更
【補正の内容】
【００２３】
（ハ）次に、図１に示すリバースイオントフォレシス装置１の電解質ゲル２０側に検体１００、例えば人体の皮膚の一部を接触させ、さらに検体１００の別の部位に第１電極板１１ａ、第２電極板１１ｂを接触するように押し当てる。このとき、電解質ゲル２０と共に第３電極板１２ａ、第４電極板１２ｂは、測定装置３の上面に直交する方向に押し下がり、図１に示したように、センサーチップ２の色素膜６と電解質ゲル２０が接触することとなる。ここで、色素膜６の上部に配置された電解質ゲル２０と第１電極板１１ａ、第２電極板１１ｂの間に電源３０から数ボルト〜１０数ボルトの電圧が印加されると、人体の皮膚下のグルコースが電解質ゲル２０を通して色素膜６に効率よく抽出され、色素膜６で色素と反応して変色する。ここで、印加する電圧の範囲は、５ボルト〜２０ボルト、好ましくは１０ボルト〜１５ボルトである。印加する電圧が５ボルト以下では、検体の抵抗(例えば、人体の皮膚の抵抗)により電流が流れにくくなり、グルコースを染み出させるのに時間がかかってしまうため実用的ではない。また、印加する電圧が２０ボルト以上では、人体の皮膚に対するダメージが問題となる。例えば、人体の皮膚に対するダメージを抑えるため、単位面積あたりの電流値を０．３ｍＡ／ｃｍ２以下にする必要がある。
【手続補正８】
【補正対象書類名】図面
【補正対象項目名】図４
【補正方法】変更
【補正の内容】
【図４】
2004141332.tif 000001
【手続補正書】
【提出日】平成17年10月11日(2005.10.11)
【手続補正１】
【補正対象書類名】明細書
【補正対象項目名】発明の名称
【補正方法】変更
【補正の内容】
【発明の名称】遊技機用スイッチおよびそのスイッチを用いた遊技機
【手続補正２】
【補正対象書類名】明細書
【補正対象項目名】特許請求の範囲
【補正方法】変更
【補正の内容】
【特許請求の範囲】
【請求項１】  遊技機における遊技を進行させるための操作に使用するために、前記遊技機に取り付けられるスイッチであって、
前面に操作部が設けられた本体部の内部に処理回路が収容されるとともに、前記本体部の背面に動作状態を確認するための発光体が設けられており、
前記処理回路は、前記操作部への操作の有無を電気信号に変換して出力するとともに、操作されたときの信号出力に応じて前記発光体を点灯させるように構成されている遊技機用スイッチ。
【請求項２】  請求項１に記載された遊技機用スイッチを使用する遊技機であって、
前面が開口された筐体と、前記開口部を覆うように筐体に組み付けられ、前記遊技機用スイッチを挿入するための孔部が形成された扉部とを具備し、
前記遊技機用スイッチは、前記操作部が扉部の前面側に位置し、かつ前記発光体が前記扉部の裏面側に位置するように前記孔部に挿入された状態で固定される遊技機。
【手続補正３】
【補正対象書類名】明細書
【補正対象項目名】０００１
【補正方法】変更
【補正の内容】
【０００１】
【発明の属する技術分野】
この発明は、遊技機における遊技を進行させるための操作に使用するために、前記遊技機に取り付けられるスイッチ、およびこのスイッチが配備された遊技機に関する。特に、この発明は、前記スイッチに接触不良、絶縁、破損による動作不良（以下、これらの不良をまとめて、「故障」という。）が生じていないかどうかを個別に確認するための技術に関する。
【手続補正４】
【補正対象書類名】明細書
【補正対象項目名】００１０
【補正方法】変更
【補正の内容】
【００１０】
この発明は、スイッチの動作確認用の発光体を、遊技者の目の触れない場所に、スイッチとの対応関係が明確になるようにして配置することにより、前記確認処理を、簡単かつ正確に行うことができるようにすることを、目的とする。
【手続補正５】
【補正対象書類名】明細書
【補正対象項目名】００１１
【補正方法】変更
【補正の内容】
【００１１】
【課題を解決するための手段】
この発明にかかる遊技機用スイッチは、遊技機における遊技を進行させるための操作に使用するために、前記遊技機に取り付けられるもので、前面に操作部が設けられた本体部の内部に処理回路が収容されるとともに、前記本体部の背面に動作状態を確認するための発光体が設けられる。また前記処理回路は、前記操作部への操作の有無を電気信号に変換して出力するとともに、操作されたときの信号出力に応じて前記発光体を点灯させるように構成される。
【手続補正６】
【補正対象書類名】明細書
【補正対象項目名】００１２
【補正方法】変更
【補正の内容】
【００１２】
ここで、典型的なスイッチは、押釦式のスイッチであるが、これに限らず、レバー式のものや、回転操作によってオン，オフの切替えを行うタイプのスイッチなど、操作に応じて回路を開閉する機能を具備するものであればよい。発光体は、ＬＥＤであるのが望ましいが、これに限らず、豆電球を用いてもよい。
【手続補正７】
【補正対象書類名】明細書
【補正対象項目名】００１３
【補正方法】変更
【補正の内容】
【００１３】
上記の遊技機用スイッチの構成によれば、前面が開口された筐体と、前記開口部を覆うように筐体に組み付けられ、遊技機用スイッチを挿入するための孔部が形成された扉部とを具備する遊技機において、当該スイッチを、操作部が扉部の前面側に位置し、かつ発光体が扉部の裏面側に位置するように前記孔部に挿入した状態で固定することができる。よって、スイッチの動作状態の確認用の発光体を、扉部の裏面の前記スイッチの配置位置に対応する位置に配備することができるので、発光体とスイッチとの対応関係を容易に判別することが可能になる。
【手続補正８】
【補正対象書類名】明細書
【補正対象項目名】００１４
【補正方法】変更
【補正の内容】
【００１４】
したがって、前記遊技機用スイッチを複数設けた場合には、メンテナンス時に扉部を開いた状態で各スイッチを順に操作して対応する発光体の点灯状態を視認することにより、各スイッチの動作状態を簡単かつ正確に確認することができる。
また、機体の製作時や、スイッチまたは発光体の交換時には、スイッチと発光体とを同時に取り付けることができる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００３７
【補正方法】変更
【補正の内容】
【００３７】
【発明の効果】
この発明によれば、遊技機用スイッチの本体部の背面に、動作状態の確認のための発光体を一体に設け、遊技機の扉部に形成された孔部にスイッチを挿入することによって、扉部の裏面側の前記スイッチの配置位置に対応する位置に発光体が配備されるようにしたので、遊技者の目に触れない扉部の裏面において、発光体とスイッチとの対応関係を容易に識別することが可能になる。よって、各スイッチの動作確認を正確かつ効率良く行うことができ、利便性の高い遊技機を提供することができる。
また、発光体がスイッチに一体化されているので、機体の製作時や、スイッチまたは発光体の交換時には、スイッチと発光体とを同時に取り付けることができ、作業者の手間を削減することができる。
【手続補正書】
【提出日】平成17年9月21日(2005.9.21)
【手続補正１】
【補正対象書類名】明細書
【補正対象項目名】００１９
【補正方法】変更
【補正の内容】
【００１９】
縫製枠３０は、ブラケット３１と、縫製枠３０の両端部で前方に延びるように突出した一対の製品枠ホルダ３２を備えている。ブラケット３１は、幅方向略中央部にブラケット３１の幅よりＸ方向の長さが短く、レール１７の上部である後方へ向けて突出している突出部位３８と、ガイドブラケット１８と対峙し単体ローラ２２が接触する被接触部３７とを備えている。突出部位３８の上面は、駆動ベルト１６のループ下側部位の一部にベルト取付部材３３で固定されている。突出部位３８の下面には、レール１７に摺動可能に係合しレール１７の長さ方向に間隔をおいた２つのスライダブロック３４ａ、３４ｂ（左側のスライダブロック３４ａの最左端から右側のスライダブロック３４ｂの最右端までのスライダの長さは約１００ｍｍ）が取り付けられている。スライダブロック３４の右端から左端までの長さと突出部位３８のＸ方向の長さは、略同じ長さとなるようになっている。
【手続補正２】
【補正対象書類名】明細書
【補正対象項目名】００２０
【補正方法】変更
【補正の内容】
【００２０】
製品枠ホルダ３２の前端よりに設けられた枠把持部３５は、角を面取りされた矩形枠状の製品枠３６を左右から支持している。また、製品枠３６には加工布が展張保持される。なお、製品枠ホルダ３２に代えて、大型の縫製枠を取着することもできるし、縫製枠３０と製品枠３６とは別体でも、一体成形されたものでもよい。
【手続補正３】
【補正対象書類名】明細書
【補正対象項目名】００２８
【補正方法】変更
【補正の内容】
【００２８】
図１１及び図１２は本発明による第三実施形態を示す。本実施形態のミシンの縫製枠支持構造は、前後方向に並設されている一対の挟みローラ４２が、駆動枠１３の左右略端部に２組設けられ、その一対の挟みローラ４２による接触は、縫製枠３０の被接触部３７の前後面にこれを挟むように挟みローラ４２が接触することだけが第一実施形態とは異なっている。
本実施形態では、縫製枠３０が左右方向に変位すると、一対の挟みローラ４２のうち少なくとも１組が、常に駆動枠１３と縫製枠３０との間に存在するようになっており、縫製枠３０の幅方向右部又は幅方向左部の被接触部３７の前後面にこれを挟むように接触している。
【手続補正４】
【補正対象書類名】明細書
【補正対象項目名】００２９
【補正方法】変更
【補正の内容】
【００２９】
従って、この実施形態のミシンの縫製枠支持構造によっても、第一実施形態と同様な効果が得られ、さらに、常に１組の一対の挟みローラ４２で縫製枠３０の被接触部３７の前後面を挟むように接触することで、縫製枠３０が安定した左右方向の変位をすることができる。
【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
円筒状のフィルタと、
このフィルタを取り囲み密閉するハウジングと、
前記フィルタの内側の原水室に加圧された原水を供給する原水供給手段と、
前記フィルタの外側のろ液室からろ液を排出する排出手段と、
前記原水室内に設けられ、フィルタ内面に対向した位置で開口する吸引ノズルと、
この吸引ノズルに接続され、吸い込んだ洗浄排水を前記原水室から外部へ排出する洗浄水排出手段と、
この洗浄水排出手段を制御して吸引ノズルからの洗浄排水の吸引を制御する吸引制御手段と、
前記吸引ノズルを前記フィルタ内面に沿って移動させるノズル移動手段と、
前記ろ液室内にあって、前記吸引ノズルに対向する位置に配置され、逆洗水を吐出する逆洗ノズルと、
この逆洗ノズルに逆洗水を加圧供給する逆洗水供給手段と、
前記逆洗ノズルを前記吸引ノズルに同期して移動させる逆洗ノズル移動手段と、
を有することを特徴とするろ過装置。
【請求項２】
請求項１に記載のろ過装置において、
前記吸引ノズルおよび逆洗ノズルは、前記フィルタの軸方向および周方向の両方に同期して移動することを特徴とするろ過装置。
【手続補正２】
【補正対象書類名】明細書
【補正対象項目名】０００６
【補正方法】変更
【補正の内容】
【０００６】
【課題を解決するための手段】
本発明は、円筒状のフィルタと、このフィルタを取り囲み密閉するハウジングと、前記フィルタの内側の原水室に加圧された原水を供給する原水供給手段と、前記フィルタの外側のろ液室からろ液を排出する排出手段と、前記原水室内に設けられ、フィルタ内面に対向した位置で開口する吸引ノズルと、この吸引ノズルに接続され、吸い込んだ洗浄排水を前記原水室から外部へ排出する洗浄水排出手段と、この洗浄水排出手段を制御して吸引ノズルからの洗浄排水の吸引を制御する吸引制御手段と、前記吸引ノズルを前記フィルタ内面に沿って移動させるノズル移動手段と、前記ろ液室内にあって、前記吸引ノズルに対向する位置に配置され、逆洗水を吐出する逆洗ノズルと、この逆洗ノズルに逆洗水を加圧供給する逆洗水供給手段と、前記逆洗ノズルを前記吸引ノズルに同期して移動させる逆洗ノズル移動手段と、を有することを特徴とする。
【手続補正書】
【提出日】平成17年8月31日(2005.8.31)
【手続補正１】
【補正対象書類名】明細書
【補正対象項目名】０００５
【補正方法】変更
【補正の内容】
【０００５】
このようにしてアルミナ粒子層１０８およびゼオライト層１０７に充填されている各吸着剤による所定ガス成分の吸着が飽和状態になった場合、混合ガスの供給を停止する一方、上部ガス通過口１０２から吸着塔１０１内にパージガスを送り込むことにより、各吸着剤に吸着された所定のガス成分を当該吸着剤から脱着させ、下部ガス通過口１０３から吸着塔１０１の塔外へ排出して回収する。以上の操作を繰り返し行うことにより、混合ガスから所定のガス成分を精製することができる。
【手続補正２】
【補正対象書類名】明細書
【補正対象項目名】００２０
【補正方法】変更
【補正の内容】
【００２０】
このような構成としたことにより、たとえば中間ガス通過口および仕切構造体を３つずつ設けた場合において、仕切構造体により吸着塔を４分割することになる。そのため、仕切構造体を設けていない同サイズの吸着塔と比較して混合ガスの処理を行う面積を４倍確保したのと同様の効果が得られるとともに、吸着塔自体の径を大きくしたのではないため、設置面積の増大や大きい径を有する吸着塔に生じ易いガスの偏流も抑制することができる。したがって、コンパクトで、かつ処理ガス量がより大きい吸着装置を提供することができる。さらに、吸着塔を４以上に分割することにより、充填材の充填高さもより小さくできるので、充填材による流れ抵抗も低減される。
【手続補正３】
【補正対象書類名】明細書
【補正対象項目名】００３５
【補正方法】変更
【補正の内容】
【００３５】
以上のような構成を有する吸着装置Ｘ１においては、仕切構造体５を設けることにより、吸着塔１を上下両側に２分割することになる。したがって、仕切構造体５を設けていない同サイズの吸着塔と比較して混合ガスの処理を行う面積を２倍確保したのと同様の効果が得られるとともに、吸着塔１自体の径を大きくしたのではないため、設置面積の増大や大きい径を有する吸着塔に生じ易いガスの偏流も防ぐことができる。つまり、コンパクトで、かつ処理ガス量が大きい吸着装置とすることができる。加えて、仕切構造体５で充填材層６ａ，７ａ，８ａと充填材層６ｂ，７ｂ，８ｂとを仕切ることにより、仕切り構造体５の上下各々における充填材の充填高さを小さくできるので、吸着塔のほぼ全高さにわたって充填材による累積的流れ抵抗を受ける場合と比べ、充填材による流れ抵抗が低減される。また、仕切構造体５を上下動可能としたことで仕切構造体５の自重および各充填材層６ｂ，７ｂ，８ｂに充填された充填材の重みにより仕切構造体５が下方に移動可能である。そのため、各充填材層６ａ，７ａ，８ａが運転中の振動やガス流れなどで圧密状態になり、層が圧縮された場合でも、たとえば仕切構造体５と第３充填材層８ａとの間に空間が形成されることを防ぐことができる。したがって、当該空間を生じないようにするために加圧装置などを別途設ける必要はなく、装置の構成を簡略化することができる。さらに、吸着塔１内の各充填材層６ａ，６ｂ，７ａ，７ｂ，８ａ，８ｂの形成は、吸着塔１を垂直に設置した状態で上部ガス通過口２側から順に充填材を充填することにより行うことができる。そのため、充填材を充填する際に吸着塔１を横に倒したり、吸着塔１の側面１０に充填材を導入する導入口を別途設けたりする必要がなく、コスト的にも作業効率的にも優れている。
【手続補正４】
【補正対象書類名】図面
【補正対象項目名】図２
【補正方法】変更
【補正の内容】
【図２】
2004141767.tif 000001
【手続補正５】
【補正対象書類名】図面
【補正対象項目名】図５
【補正方法】変更
【補正の内容】
【図５】
2004141767.tif 000002
【手続補正書】
【提出日】平成17年10月21日(2005.10.21)
【手続補正１】
【補正対象書類名】明細書
【補正対象項目名】００１９
【補正方法】変更
【補正の内容】
【００１９】
前記発酵は、アルカリ液の添加によりｐH６〜８、および、含水率は好ましくは５０〜６０％に調整された状態で行われる。ｐHおよび含水率を上記範囲に調整することにより、バチルス属細菌を活発に繁殖させることができる。
【手続補正書】
【提出日】平成17年5月19日(2005.5.19)
【手続補正１】
【補正対象書類名】明細書
【補正対象項目名】図面の簡単な説明
【補正方法】変更
【補正の内容】
【図面の簡単な説明】
【図１】
パンツ型の使い捨ておむつの斜視図。
【図２】
図１のおむつの部分破断正面斜視図。
【図３】
図１のおむつを伸展した図面。
【図４】
図１のおむつの分解斜視図。
【図５】
実施態様の一例を示す図４と同様な図面。
【図６】
部分的に破断して示す図５のおむつの組立図。
【図７】
実施態様の一例を示す図６と同様な図面。
【図８】
実施態様の一例を示す図６と同様な図面。
【図９】
実施態様の一例を示す図８と同様な図面。
【図１０】
実施態様の一例を示す図９と同様な図面。
【図１１】
実施態様の一例を示す図８と同様な図面。
【図１２】
従来のおむつの斜視図。
【手続補正２】
【補正対象書類名】図面
【補正対象項目名】図１
【補正方法】変更
【補正の内容】
【図１】
2004141177.tif 000001
【手続補正３】
【補正対象書類名】図面
【補正対象項目名】図２
【補正方法】変更
【補正の内容】
【図２】
2004141177.tif 000002
【手続補正４】
【補正対象書類名】図面
【補正対象項目名】図３
【補正方法】変更
【補正の内容】
【図３】
2004141177.tif 000003
【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
被検査体の内部状態を計測する計測部と、前記計測部で計測された信号に含まれる生体揺らぎ成分を抽出する信号抽出部と、前記信号抽出部で抽出された生体揺らぎ成分に基づいて被検体に刺激又は命令を呈示するタイミングを決定する刺激タイミング決定部と、前記刺激タイミング決定部によって決定された時刻に刺激又は命令を与えるように制御を行う刺激・命令呈示制御部と、前記刺激・命令呈示制御部からの制御信号に従って被検査体に刺激又は命令を与える刺激・命令呈示部とを備え、
前記信号抽出部は、前記計測部で計測された信号を、現在から過去に向かって設定された時間窓長Ｔ（秒）内でｎ次の多項式（ｎは３以上の整数であり、ｎとＴは、０．０１≦（ｎ−１）／２Ｔ≦０．５を満たす）によってフィッティングしたときの現在時刻の値を前記生体揺らぎ成分の現在値とすることを特徴とする生体計測装置。
【請求項２】
請求項１記載の生体計測装置において、前記信号抽出部は、前記計測部で計測された信号の低周波数成分を抽出することを特徴とする生体計測装置。
【請求項３】
請求項１記載の生体計測装置において、前記低周波数成分は０．０１ヘルツから０．５ヘルツの間の低周波数成分を含むことを特徴とする生体計測装置。
【請求項４】
請求項１記載の生体計測装置において、前記刺激タイミング決定部は、前記信号抽出部で抽出された生体揺らぎ成分の位相に基づいて被検査体に刺激又は命令を呈示するタイミングを決定することを特徴とする生体計測装置。
【請求項５】
請求項１記載の生体計測装置において、前記刺激タイミング決定部は、前記信号抽出部で抽出された生体揺らぎ成分の波の山と谷の位置で交互に被検体に刺激又は命令を呈示することを特徴とする生体計測装置。
【請求項６】
請求項１記載の生体計測装置において、前記刺激タイミング決定部は、前記信号抽出部で抽出された生体揺らぎ成分の波の山の位置で被検体に刺激又は命令を呈示する回数と谷の位置で被検体に刺激又は命令を呈示する回数とが同数になるように、前記生体揺らぎ成分の波の山の位置と谷の位置で被検体に刺激又は命令を呈示することを特徴とする生体計測装置。
【請求項７】
請求項１記載の生体計測装置において、前記計測部は、被検査体の頭部表面に近赤外光を照射する光照射部と、被検査体の内部を通過した生体通過光の光強度を検出する光検出部とを備えることを特徴とする生体計測装置。
【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  被検体に静磁場と高周波パルスと傾斜磁場とを印加する撮影シーケンスを実行して、前記被検体から発生する磁気共鳴信号を受信し、該受信した磁気共鳴信号に基づいて被検体の磁気共鳴断層画像を生成して表示装置上に表示する磁気共鳴イメージング装置において、さらに
表示装置上に現に表示されている断層画像上のさらに撮影対象としたい部位の任意の１点あるいは任意の１直線あるいは任意の１点と任意の１直線の組合せを指定する入力手段；
上記入力手段による指定に基づいて互いに直交する２断面ないし３断面の位置情報を算出する手段；
および、
上記算出手段によって算出された位置情報によって上記２断面ないし３断面の撮像シーケンスを生成する手段を有する磁気共鳴イメージング装置。
【請求項２】  上記入力手段はマウスあるいはペンタブレットあるいはタッチパネルあるいはこれらの組合せである請求項１に記載の磁気共鳴イメージング装置。
【請求項３】  上記算出手段による上記２断面ないし３断面の位置情報算出は上記２断面ないし３断面が上記１点あるいは１直線を含むように実行されることを特徴とする請求項１に記載の磁気共鳴イメ―ジング装置。
【請求項４】  上記算出手段による上記２断面ないし３断面の位置情報の算出は上記２断面ないし３断面が現に表示されている断層像を含むように実行されることを特徴とする請求項１に記載の磁気共鳴イメージング装置。
【手続補正書】
【提出日】平成16年6月9日(2004.6.9)
【手続補正１】
【補正対象書類名】明細書
【補正対象項目名】請求項１
【補正方法】変更
【補正の内容】
【請求項１】
ペダル板と作動杆から成る左右一対のペダル部の前記作動杆の前端部を、基台前部に設けた支持部にそれぞれ回動可能に取り付け、前記作動杆を前記基台との間に固定したダンパの付勢力に抗して前記左右のペダル部を交互に上下して足踏み運動する足踏み運動機において、前記ペダル板を前記作動杆に対して後方に傾斜して固定したことを特徴とする足踏み運動機。
【手続補正２】
【補正対象書類名】明細書
【補正対象項目名】０００６
【補正方法】変更
【補正の内容】
【０００６】
【課題を解決するための手段】
上記目的を達成するための本発明に係る足踏み運動機は、ペダル板と作動杆から成る左右一対のペダル部の前記作動杆の前端部を、基台前部に設けた支持部にそれぞれ回動可能に取り付け、前記作動杆を前記基台との間に固定したダンパの付勢力に抗して前記左右のペダル部を交互に上下して足踏み運動する足踏み運動機において、前記ペダル板を前記作動杆に対して後方に傾斜して固定したことを特徴とする。
【手続補正書】
【提出日】平成17年10月21日(2005.10.21)
【手続補正１】
【補正対象書類名】明細書
【補正対象項目名】００２６
【補正方法】変更
【補正の内容】
【００２６】
中央連結部材（36）は、その両側に前記凹状部（25）（26）の断面に対応する断面を有しパイプ端部開口から凹状部（25）（26）内に挿入される側縁部（38）（38）が突設されている。また、その上面には、吊掛フック（37）が突設されている。この吊掛フック部（37）は、起倒自在かつ水平回りに回動自在となされている。
【手続補正２】
【補正対象書類名】明細書
【補正対象項目名】００３３
【補正方法】変更
【補正の内容】
【００３３】
請求項５に係る発明は、固定用部材がピンチ取り付け部を備えているので、小型のリング型物干し具として好適な物干具を提供できる。
【手続補正３】
【補正対象書類名】明細書
【補正対象項目名】図面の簡単な説明
【補正方法】変更
【補正の内容】
【図面の簡単な説明】
【図１】
この発明に係る物干具の一実施形態（衣服用ハンガー型）の斜視図である。
【図２】
同分解状態（折り曲げ加工前）の斜視図である。
【図３】
同組立状態（折り曲げ加工前）の斜視図である。
【図４】
同平面図である。
【図５】
図４のＡ−Ａ線断面図である。
【図６】
図４のＢ−Ｂ線断面図である。
【図７】
図４のＣ−Ｃ線断面図である。
【図８】
この発明に係る物干具の他の実施形態（リング型）の、ピンチの一部を省略した斜視図である。
【図９】
同物干具のフレーム分解状態の斜視図である。
【図10】
同平面図である。
【図11】
図10のＡ−Ａ線拡大断面図である。
【図12】
図10のＢ−Ｂ線拡大端面図である。
【図13】
図10のＣ−Ｃ線拡大端面図である。
【手続補正書】
【提出日】平成17年9月9日(2005.9.9)
【手続補正１】
【補正対象書類名】明細書
【補正対象項目名】００２２
【補正方法】変更
【補正の内容】
【００２２】
その成形の進行途中で適当な間隔毎、適当な変位毎、あるいは傾きがある値以上になった時毎、荷重差がある値以上になったとき毎に、スライド板の変位と各駆動源に掛かる荷重を荷重測定器５５ａ、５５ｂ、５５ｃ、５５ｄで測定し、そのときの変位と各駆動源に掛かる荷重とを記憶装置９３に格納し、変位と荷重との関連テーブルを記憶装置内に作成する。スライド板が降下していって変位l0で可動金型が被成形板に接触し、変位l1まで降下したときに、それぞれの駆動源６０ａ、６０ｂ、６０ｃ、６０ｄに掛かる荷重をPa1、Pb1、Pc1、Pd1とする。更にスライド板が降下していってスライド板の変位lmのときのそれぞれの荷重をPam、Pbm、Pcm、Pdmとする。これらの変位と駆動源に掛かる荷重との関連テーブルは表１に示すものとなる。
【手続補正２】
【補正対象書類名】明細書
【補正対象項目名】００２７
【補正方法】変更
【補正の内容】
【００２７】
lm-1からlm＋1までの変位における駆動源それぞれの最大遅れδa，δb，δc，δdのうちδaが最小なのでδminとおく。またlm-1からlm＋1の間における荷重が最も小であった駆動源６０ａ（基準駆動源）の目標速度をＶｆとする。目標速度は、本番成形におけるその駆動源の速度である。ステップ２では各駆動源６０ａ、６０ｂ、６０ｃ、６０ｄに掛かる荷重Pam、Pbm、Pcm、Pdmと駆動源６０ａの目標速度Ｖｆを用いて、各駆動源の遅れを駆動源６０ａの遅れδminと同じとすることができる各駆動源nの速度Ｖn(n:a,b,c)を求める。
【手続補正３】
【補正対象書類名】明細書
【補正対象項目名】００３１
【補正方法】変更
【補正の内容】
【００３１】
ステップ３の試行成形の間に各駆動源の遅れを測定し、ステップ４で各駆動源nの遅れの最大値δnを求めそのうち最小の値をδminとする。ステップ５で各駆動源nの最大遅れδnと最大遅れδnのうち最小の値δminとを比較してその差が所定の値αよりも大きい場合には、前で用いた補償増分ΔＶnをステップ６で修正し、ステップ３，４，５を繰り返す。ここでδnとδminとの差を比較する値αとしては金型が壊れない程度の傾き（例えば１００μｍ以下）であることは当然必要であるが製品精度を上げるためには１０μｍ以下、具体的には３μｍ程度を判断基準とすることが好ましい。
【手続補正４】
【補正対象書類名】明細書
【補正対象項目名】００３２
【補正方法】変更
【補正の内容】
【００３２】
ステップ５で各駆動源ｎの最大遅れδnと最大遅れのうち最小の遅れ値δminとを比較して、その差が所定の値αよりも小さいか同じの場合は、ステップ７に行って前サイクルで用いた各駆動源の速度を用いてワークの本番成形を行えばよい。
【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  架台に設けられ、ワークを把持して前記ワークを所定のＺ軸周りに回転させる主軸と、
前記主軸の上方に配置された刃物台と、
前記刃物台を前記主軸と直交するＹ軸方向に移動案内する第１案内部材と、
前記第１案内部材を介して架台に設けられ、前記Ｙ軸方向に架台に対して相対的に移動可能な第１ベース部材と、
前記刃物台を前記Ｚ軸方向およびＹ軸方向に直交するＸ軸方向に移動案内する第２案内部材と、
前記第２案内部材を介して前記第１ベース部材に設けられ、前記ワークに対して、前記Ｘ軸方向に移動可能な第２ベース部材と、
前記第２ベース部材に取り付けられた刃物台に固定され、前記ワークを加工する工具と、を備え、
前記第１案内部材の案内面が、前記Ｘ軸と前記Ｙ軸とを含むＸ−Ｙ平面に対して傾斜して形成されていることを特徴とする自動旋盤。
【請求項２】  前記Ｙ軸方向に見て、前記第１案内部材の案内面が前記Ｘ−Ｙ平面または前記Ｙ軸と前記Ｚ軸とを含むＹ−Ｚ平面に沿って配置されたときの前記ワークを加工する工具の切削点と前記第１案内部材の基準位置との高さ方向のオフセット距離よりも、前記ワークを加工する工具の切削点と前記第１案内部材の基準位置との高さ方向のオフセット距離が短くなるように前記第１案内部材の案内面の傾斜角度が設定されている請求項１に記載の自動旋盤。
【請求項３】  前記第１案内部材が、前記第１ベース部材および前記第２ベース部材の一方に形成された蟻溝と、
前記第１ベース部材および前記第２ベース部材の他方に設けられ、前記蟻溝に嵌め込まれ、前記蟻溝に沿って移動可能な突起部材と、
を備える請求項１または請求項２に記載の自動旋盤。
【手続補正２】
【補正対象書類名】明細書
【補正対象項目名】０００９
【補正方法】変更
【補正の内容】
【０００９】
【課題を解決するための手段】
上記課題を解決した本発明に係る自動旋盤は、架台に設けられ、ワークを把持してワークを所定のＺ軸周りに回転させる主軸と、主軸の上方に配置された刃物台と、刃物台を主軸と直交するＹ軸方向に移動案内する第１案内部材と、第１案内部材を介して架台に設けられ、Ｙ軸方向に架台に対して相対的に移動可能な第１ベース部材と、刃物台をＺ軸方向およびＹ軸方向に直交するＸ軸方向に移動案内する第２案内部材と、第２案内部材を介して第１ベース部材に設けられ、ワークに対して、Ｘ軸方向に移動可能な第２ベース部材と、第２ベース部材に取り付けられた刃物台に固定され、ワークを加工する工具と、を備え、第１案内部材の案内面が、Ｘ軸とＹ軸とを含むＸ−Ｙ平面に対して傾斜して形成されている。
また、Ｙ軸方向に見て、第１案内部材の案内面がＸ−Ｙ平面またはＹ軸とＺ軸とを含むＹ−Ｚ平面に沿って配置されたときのワークを加工する工具の切削点と第１案内部材の基準位置との高さ方向のオフセット距離よりも、ワークを加工する工具の切削点と第１案内部材の基準位置との高さ方向のオフセット距離が短くなるように第１案内部材の案内面の傾斜角度が設定されている。
さらには、第１案内部材が、第１ベース部材および第２ベース部材の一方に形成された蟻溝と、第１ベース部材および第２ベース部材の他方に設けられ、蟻溝に嵌め込まれ、蟻溝に沿って移動可能な突起部材と、を備える。
【手続補正書】
【提出日】平成16年5月27日(2004.5.27)
【手続補正１】
【補正対象書類名】明細書
【補正対象項目名】００１０
【補正方法】変更
【補正の内容】
【００１０】
【発明の実施の形態】
本発明において、処理の対象とする醤油としては、濃口醤油、淡口醤油、溜り醤油、減塩醤油等を挙げることができ、またそれらの生醤油、火入れ醤油を問わず利用できる。
【手続補正書】
【提出日】平成17年4月6日(2005.4.6)
【手続補正１】
【補正対象書類名】明細書
【補正対象項目名】請求項５
【補正方法】変更
【補正の内容】
【請求項５】
前記麺線間隔拡幅手段の１対の麺線保持部は、前記第１の位置，第２の位置間を回転移動するように構成されており、前記伸長動作時には、この回転移動経路に配設されたガイド部材に沿って、伸長・縮短動作を行うものである、請求項３または４に記載の麺の製造装置における麺線の分離機構。
【手続補正２】
【補正対象書類名】明細書
【補正対象項目名】０００６
【補正方法】変更
【補正の内容】
【０００６】
上述のような付着が発生すると、後段の処理、すなわち、乾燥，包装等の工程においてトラブルが発生するばかりでなく、折角の良質の麺の品質が劣化してしまうという問題にもなる。
これに関して、本出願人は先に「麺線の付着防止装置」なる出願により、上述の問題に関する一つの解決策を提案した（特許文献１参照）。
【手続補正書】
【提出日】平成17年8月19日(2005.8.19)
【手続補正１】
【補正対象書類名】明細書
【補正対象項目名】請求項５
【補正方法】変更
【補正の内容】
【請求項５】
火災時に前記配管内の水が泡水溶液に置換されるまでの間、油火災に対して火災の延焼を防止できる散水密度で、前記閉鎖型噴霧ヘッドから水を放水することを特徴とする請求項２記載の消火設備。
【手続補正２】
【補正対象書類名】明細書
【補正対象項目名】００１２
【補正方法】変更
【補正の内容】
【００１２】
（５）上記（２）の火災時に前記配管内の水が泡水溶液に置換されるまでの間、油火災に対して火災の延焼を防止できる散水密度で、前記閉鎖型噴霧ヘッドから水を放水するようにした。
【手続補正書】
【提出日】平成16年11月25日(2004.11.25)
【手続補正１】
【補正対象書類名】明細書
【補正対象項目名】００２５
【補正方法】変更
【補正の内容】
【００２５】
このセンタレス研磨によれば、細径部１０ａ、テーパ部１０ｃ、太径部１０ｂを各々高精度に形成することが可能となる。
【手続補正２】
【補正対象書類名】明細書
【補正対象項目名】００５７
【補正方法】変更
【補正の内容】
【００５７】
本実施の形態では、第１の内視鏡１Ａの太径部１０ｂの外径を、他の第２、第３の内視鏡１Ｂ，１Ｃの軟性部４５，４６の最も太い外径と最も細い外径との範囲内に設定したので、術者は第１の内視鏡１Ａを操作する際に違和感を感じ難くなる。この場合、好適には、第１の内視鏡１Ａの太径部１０ｂの外径が、第２の内視鏡１Ｂの軟性部４５の外径と略同に設定することで、より違和感のない操作を行なうことができる。
【手続補正３】
【補正対象書類名】明細書
【補正対象項目名】００７３
【補正方法】削除
【補正の内容】
【手続補正４】
【補正対象書類名】明細書
【補正対象項目名】００７４
【補正方法】削除
【補正の内容】
【手続補正５】
【補正対象書類名】明細書
【補正対象項目名】００７５
【補正方法】削除
【補正の内容】
【手続補正６】
【補正対象書類名】明細書
【補正対象項目名】００７６
【補正方法】削除
【補正の内容】